(57)【要約】【課題】ピーク照度を高め、かつ、省スペース化を可能にする。【解決手段】所定照射位置Ｔに光を照射する照射ユニット３０において、それぞれが紫外線ＬＥＤを含む発光部６０を有し、それぞれの前記発光部６０を互いに対向させて配置された一対の実装基板５２と、前記実装基板５２の発光部６０の各々の対向位置に設けられ、対向位置の前記発光部６０の光を配光制御する一対の第１反射面５５、及び第２反射面５７と、を備え、前記第２反射面５７のそれぞれは、前記第１反射面５５よりも前記所定照射位置Ｔの側に位置し、なおかつ、対向位置の前記発光部６０から他方の前記発光部６０の側に前記第１反射面５５から離間し、前記第１反射面５５との間に空間Ｑをあけて配置され、前記発光部６０の各々から対向位置の前記第２反射面５７に入射する光が、前記空間Ｑを通って前記第２反射面５７に入射する。【選択図】図６
2018166082.tif 000002
【特許請求の範囲】
【請求項１】
所定照射位置に光を照射する照射ユニットにおいて、
それぞれが発光素子を含む発光部を有し、それぞれの前記発光部を互いに対向させて配置された一対の実装基板と、
前記実装基板の発光部の各々の対向位置に設けられ、対向位置の前記発光部の光を配光制御する一対の第１反射面、及び第２反射面と、
を備え、
前記第２反射面のそれぞれは、前記第１反射面よりも前記所定照射位置の側に位置し、なおかつ、対向位置の前記発光部から他方の前記発光部の側に前記第１反射面から離間し、前記第１反射面との間に空間をあけて配置され、
前記発光部の各々から対向位置の前記第２反射面に入射する光が、前記空間を通って前記第２反射面に入射する
ことを特徴とする照射ユニット。
【請求項２】
一対の前記第２反射面は、前記一対の実装基板の離間距離に合わせて離間配置されている、ことを特徴とする請求項１に記載の照射ユニット。
【請求項３】
前記一対の実装基板は、互いに平行に配置されている、ことを特徴とする請求項１または２に記載の照射ユニット。
【請求項４】
前記発光部の所定の放射角の範囲の光は全て、前記第１反射面、及び前記第２反射面のいずれかに入射する、ことを特徴とする請求項１から３のいずれかに記載の照射ユニット。
【請求項５】
前記発光部には、複数の前記発光素子が列状に配列され、
前記所定照射位置に向けて線状に光を照射する
ことを特徴とする請求項１〜４のいずれかに記載の照射ユニット。
【請求項６】
前記第１反射面、及び前記第２反射面は、対向位置の前記発光部の光を前記所定照射位置に集光する楕円反射面である
ことを特徴とする請求項１〜５のいずれかに記載の照射ユニット。
【請求項７】
前記第１反射面は、対向位置の前記発光部を前記所定照射位置に集光する楕円反射面であり、
前記第２反射面は、平面、或いは、前記第１反射面とは異なる曲面である
ことを特徴とする請求項１〜５のいずれかに記載の照射ユニット。
【請求項８】
請求項１〜７のいずれかに記載の複数の照射ユニットと、
前記照射ユニットのそれぞれを冷却する冷却手段と、を備え、
前記照射ユニットのそれぞれは、連接配置され、
前記冷却手段は、前記照射ユニットのそれぞれに冷却風を吹き付けて空冷し、又は、前記照射ユニットのそれぞれの内部に冷媒を通して冷却する
ことを特徴とする照射装置。
【請求項９】
前記冷却手段は、
前記照射ユニットの各々に亘って延在し、外気が導入さる管体を備え、
前記管体には、前記外気を吹き付ける吹出孔が前記照射ユニットごとに設けられている
ことを特徴とする請求項８に記載の照射装置。
【請求項１０】
前記照射ユニットのそれぞれは、前記実装基板が取り付けられるベース体を備え、
前記ベース体は、前記冷却風が吹き付けられる放熱フィンを備えた一体成型物である、
ことを特徴とする請求項９に記載の照射装置。
【請求項１１】
前記放熱フィンは、前記冷却風の吹出方向に平行に設けられている、ことを特徴とする請求項１０に記載の照射装置。
【発明の詳細な説明】
【技術分野】
【０００１】
本発明は、照射ユニット、及び照射装置に関する。
【背景技術】
【０００２】
列状に配列された複数のＬＥＤと、これらのＬＥＤの光を反射する反射部材とを有し、線状光を放射する複数の光源ユニットを備え、各光源ユニットは、線状光が延びる軸方向と直交する方向に並べられ、それぞれが線状光を重ね合わせて照射対象物に照射する照射装置が知られている（例えば、特許文献１参照）。
また、列状に配列された複数のＬＥＤと、これらのＬＥＤの光を所定焦点に向けて反射する反射部材と、これらのＬＥＤの直射光成分を反射部材の所定焦点に集光するロッドレンズと、を備え、所定焦点で集光する線状光を照射対象物に照射する照射装置も知られている（例えば、特許文献２参照）。
これらの照射装置は、印刷装置やフィルム製造装置といった各種の装置に幅広く用いられている。
【先行技術文献】
【特許文献】
【０００３】
【特許文献１】特開２０１４−１７２０２３号公報
【特許文献２】特開２０１３−４８０７９号公報
【発明の概要】
【発明が解決しようとする課題】
【０００４】
ところで、印刷装置やフィルム製造装置といった、組み込み先の装置構造によっては、照射装置の組込みスペースが狭いことがある。特許文献１の照射装置では、線状光の軸方向と直交する方向の幅寸法が、係る組込みスペースに見合った寸法になっておらず、組込みスペースに収め難い場合がある。
また、特許文献２の照射装置では、ＬＥＤの配列数を増やし難く、特許文献１に比べてピーク照度を上げ難い。さらに、ＬＥＤの配置密度を高めてピーク照度を上げる構成においては、ＬＥＤの冷却性能も高める必要が生じ、照射装置の大型化を招く。
【０００５】
本発明は、ピーク照度を高めることができ、かつ、省スペース化が可能な照射ユニット、及び照射装置を提供することを目的とする。
【課題を解決するための手段】
【０００６】
本発明は、所定照射位置に光を照射する照射ユニットにおいて、それぞれが発光素子を含む発光部を有し、それぞれの前記発光部を互いに対向させて配置された一対の実装基板と、前記実装基板の発光部の各々の対向位置に設けられ、対向位置の前記発光部の光を配光制御する一対の第１反射面、及び第２反射面と、を備え、前記第２反射面のそれぞれは、前記第１反射面よりも前記所定照射位置の側に位置し、なおかつ、対向位置の前記発光部から他方の前記発光部の側に前記第１反射面から離間し、前記第１反射面との間に空間をあけて配置され、前記発光部の各々から対向位置の前記第２反射面に入射する光が、前記空間を通って前記第２反射面に入射することを特徴とする。
【０００７】
本発明は、上記照射ユニットにおいて、一対の前記第２反射面は、前記一対の実装基板の離間距離に合わせて離間配置されている、ことを特徴とする。
【０００８】
本発明は、上記照射ユニットにおいて、前記一対の実装基板は、互いに平行に配置されている、ことを特徴とする。
【０００９】
本発明は、上記照射ユニットにおいて、前記発光部の所定の放射角の範囲の光は全て、前記第１反射面、及び前記第２反射面のいずれかに入射する、ことを特徴とする。
【００１０】
本発明は、上記照射ユニットにおいて、前記発光部には、複数の前記発光素子が列状に配列され、前記所定照射位置に向けて線状に光を照射する、ことを特徴とする。
【００１１】
本発明は、上記照射ユニットにおいて、前記第１反射面、及び前記第２反射面は、対向位置の前記発光部の光を前記所定照射位置に集光する楕円反射面であることを特徴とする。
【００１２】
本発明は、上記照射ユニットにおいて、前記第１反射面は、対向位置の前記発光部を前記所定照射位置に集光する楕円反射面であり、前記第２反射面は、平面、或いは、前記第１反射面とは異なる曲面であることを特徴とする。
【００１３】
本発明は、上記のいずれかの複数の照射ユニットと、前記照射ユニットのそれぞれを冷却する冷却手段と、を備え、前記照射ユニットのそれぞれは、連接配置され、前記冷却手段は、前記照射ユニットのそれぞれに冷却風を吹き付けて空冷し、又は、前記照射ユニットのそれぞれの内部に冷媒を通して冷却することを特徴とする照射装置である。
【００１４】
本発明は、上記照射装置において、前記冷却手段は、前記照射ユニットの各々に亘って延在し、外気が導入さる管体を備え、前記管体には、前記外気を吹き付ける吹出孔が前記照射ユニットごとに設けられていることを特徴とする。
【００１５】
本発明は、上記照射装置において、前記照射ユニットのそれぞれは、前記実装基板が取り付けられるベース体を備え、前記ベース体は、前記冷却風が吹き付けられる放熱フィンを備えた一体成型物である、ことを特徴とする。
【００１６】
本発明は、上記照射装置において、前記放熱フィンは、前記冷却風の吹出方向に平行に設けられている、ことを特徴とする。
【発明の効果】
【００１７】
本発明によれば、ピーク照度を高めることができ、かつ、省スペース化が可能になる。
【図面の簡単な説明】
【００１８】
【図１】本発明の実施形態に係る紫外線照射装置の構成を示す側面図である。
【図２】紫外線照射装置の分解斜視図である。
【図３】紫外線照射装置の内部構成を示す図である。
【図４】照射ユニットの構成を示す斜視図である。
【図５】照射ユニットを筐体のファン取付方向からみた模式図である。
【図６】照射ユニットの配光制御の説明図である。
【図７】本発明の第１変形例に係る照射ユニットの構成を示す図である。
【図８】本発明の第２変形例に係る照射ユニットの構成を示す図である。
【図９】本発明の第３変形例に係る照射ユニットの構成を示す図である。
【発明を実施するための形態】
【００１９】
以下、図面を参照して本発明の実施形態について説明する。
図１は、本実施形態に係る紫外線照射装置１の構成を示す側面図である。
紫外線照射装置１は、紫外線硬化性インキを用いたオフセット印刷装置にインターデッキＵＶ乾燥装置として組み込まれ、印刷物の印刷面Ｗ（図５）に塗布された紫外線硬化インキを紫外線照射により硬化させる。
図１に示すように、本実施形態の紫外線照射装置１は、筐体２と、電力供給機構４と、吸気ファン６と、排気ファン８と、を備えている。
【００２０】
筐体２は、印刷物の幅方向（搬送方向に垂直な方向）に延びる直方体形状のケースであり、底面２Ｄを印刷物の印刷面に対面させた状態でオフセット印刷装置内に配置される。電力供給機構４は、外部の電力を筐体２に供給する機構であり、筐体２の天面２Ａに設けられている。吸気ファン６、及び排気ファン８は、筐体２の中に冷却風を流す送風手段であり、筐体２の一方の側面２Ｂに吸気ファン６が設けられ、他方の側面２Ｃに排気ファン８が設けられている。これら吸気ファン６、及び排気ファン８が作動することで、筐体２の長手方向Ａに冷却風が流れ、筐体２の内部が空冷される。
【００２１】
図２は、紫外線照射装置１の分解斜視図である。
筐体２は、ケース本体１０と、天面板１２と、底面板１４と、を備えている。
ケース本体１０は、天面側が開放した直方体形状の箱体であり、両側の側面２Ｃ、及び２Ｂにはファン取付孔１５が形成され、それぞれのファン取付孔１５には、上記吸気ファン６、及び排気ファン８が取り付けられている。
【００２２】
天面板１２は、ケース本体１０の天面側を閉じる部材であり、天面板１２には、電力供給機構４が取り付けられる取付開口１６が形成されている。電力供給機構４は、取付開口１６に取り付けられる取付ボックス１８と、この取付ボックス１８に接続され、外部の電力を伝送する給電ケーブル２０と、を備えている。
【００２３】
底面板１４は、ケース本体１０の底面１０Ｄに装着される部材である。底面板１４にはケース本体１０の底面１０Ｄに開口した光通し孔１７に対応した位置に出射開口２２が形成されている。光通し孔１７、及び出射開口２２は、筐体２の長手方向Ａに長い矩形状に形成されており、当該長手方向Ａに延びた線状の紫外線が光通し孔１７、及び出射開口２２を通じて出射される。ケース本体１０と底面板１４の間には、光通し孔１７、及び出射開口２２を閉塞する石英材のカバーガラス２４が設けられている。
【００２４】
図３は、紫外線照射装置１の内部構成を示す図である。
図２、及び図３に示すように、筐体２には、複数（図示例では３個）の照射ユニット３０と、これら照射ユニット３０が取り付けられる取付部材３２と、が収められている。
取付部材３２は、照射ユニット３０のそれぞれを筐体２の長手方向Ａに連接状態で保持する部材である。具体的には、取付部材３２は、筐体２の側面２Ｂ、２Ｃに対面配置される一対の側板３４Ｂ、３４Ｃと、これら側板３４Ｂ、３４Ｃの間に延びる一対の支柱３６、３６と、取付板６２と、を備え、当該取付板６２に照射ユニット３０が固定されている。
【００２５】
本実施形態の取付部材３２は、各照射ユニット３０に冷却風を導き、空冷する冷却手段として上記支柱３６、３６を備えている。
具体的には、支柱３６、３６は、照射ユニット３０の底面の側に配置され、照射ユニット３０のそれぞれに亘って延在した中空管体であり、支柱３６、３６が接続された側板３４Ｂには、吸気ファン６によって導入された外気を、支柱３６、３６の内部に導入する導入口３８が設けられている。また支柱３６、３６には、照射ユニット３０との対向面３６Ａに、多数の吹出孔４０が形成されており、導入口３８から導入された冷却風が、対向面３６Ａに対向した照射ユニット３０に向かって吹出孔４０から吹き出され、各照射ユニット３０が冷却風によって空冷される。
【００２６】
一方、照射ユニット３０のそれぞれには、吹出孔４０のそれぞれの位置に配置される矩形板状の多数の放熱フィン４２が設けられており、個々の放熱フィン４２には、別々の吹出孔４０から吹き出された冷却風が吹き付けられる。これにより、各照射ユニット３０が互いに熱的に独立した冷却風によって効率良く冷却される。
さらに、本実施形態では、放熱フィン４２の各々の板面４２Ｂが、冷却風の吹出方向Ｂ（筐体２の底面２Ｄから天面２Ａに向かう方向）に平行に設けられており、それぞれの吹出孔４０から吹き出した冷却風同士の混合が、放熱フィン４２を抜けるまで抑えられている。これにより、照射ユニット３０ごとの冷却風の熱的な独立性が高められる。
【００２７】
図３に示すように、筐体２の内部は、吸気ファン６の側が側板３４Ｂによって仕切られており、吸気ファン６によって取り込まれた外気の略全てが、支柱３６、３６に導入されるようになっている。一方、支柱３６、３６の排気ファン８の側の端部は、側板３４Ｃによって閉塞され、導入口３８から導入された冷却風は全て、吹出孔４０から吹き出され、照射ユニット３０の空冷に用いられる。
また、支柱３６、３６の各吹出孔４０からの風量を略均一にするように、吸気ファン６、及び排気ファン８の回転数（吸気能力、排気能力）のバランスが調整されている。
これにより、各照射ユニット３０が、互いに熱的に独立した冷却風で、なおかつ、略均等な風量で空冷されることとなる。
【００２８】
図３に示すように、筐体２の内部において、天面２Ａの側には、略中央部を長手方向Ａに延び、排気ファン８に至る通風空間３９が設けられている。それぞれの吹出孔４０から吹出方向Ｂに吹き出された冷却風は、各放熱フィン４２の間を通って通風空間３９に至り、通風空間３９を流れて排気ファン８から外部に速やかに排気される。
【００２９】
次いで、照射ユニット３０の構成について詳述する。
【００３０】
図４は照射ユニット３０の構成を示す斜視図であり、図５は照射ユニット３０を筐体２のファン取付方向からみた模式図である。
照射ユニット３０は、図４、及び図５に示すように、一対のベース体５０と、発光部６０が設けられた一対の実装基板５２と、発光部６０に対向する一対の第１反射面５５が形成された第１反射体５４と、を備え、これらが照射ユニット３０の光軸であるユニット光軸Ｋについて線対称に配置されている。また、照射ユニット３０は、一対のベース体５０の各々に、発光部６０に対向する後述の第２反射面５７が設けられている。そして、発光部６０のそれぞれの紫外線は、対向位置の第１反射面５５、及び第２反射面５７によって配光制御され、ユニット光軸Ｋの上の所定照射位置Ｔに向けて、ユニット光軸Ｋに垂直な方向に延びた線状に照射される。
【００３１】
本実施形態の紫外線照射装置１は、係る複数の照射ユニット３０の各々を上記取付部材３２に取り付けて連接配置し、それぞれの照射ユニット３０の照射光を印刷面Ｗにおいて直線状につなげることで、所望の長さ（本実施形態では、印刷面Ｗを横断する長さ）の線状の紫外線が印刷面Ｗに照射されるようになっている。
【００３２】
照射ユニット３０の各部について詳述すると、一対のベース体５０のそれぞれは、図５に示すように、実装基板５２の取付部である基板取付面５６と、図５に示すように、反射部である第２反射面５７と、放熱部である上述の多数の放熱フィン４２と、を備えている。
【００３３】
基板取付面５６は、筐体２の長手方向Ａに延びた略矩形の平面部であり、実装基板５２が取り付けられている。
実装基板５２は、長く延びた矩形状の基板であり、その実装面５８には、図４に示すように、発光部６０が設けられている。発光部６０は、実装基板５２が延びる方向に沿って列状に配置された多数の紫外線ＬＥＤを有し、各紫外線ＬＥＤの発光によって紫外線を線状に放射する。発光部６０の光軸である発光部光軸Ｐは、図５に示すように、実装面５８に対して略垂直である。一対の実装基板５２は、ユニット光軸Ｋを挟んで、発光部６０を対向させ、なおかつ互いの実装面５８が平行に配置されており、実装基板５２のそれぞれの発光部光軸Ｐが、ユニット光軸Ｋに垂直であり、かつ互いに同一軸線Ｍ１に位置するようになっている。
【００３４】
第２反射面５７は、発光部６０の延在方向（筐体２の長手方向Ａ）に沿って延在する反射面であり、実装基板５２の発光部６０、及び第１反射面５５よりも所定照射位置Ｔに近い位置に設けられ、対向位置の発光部６０が放射する紫外線を配光制御する。
【００３５】
放熱フィン４２は、長手方向Ａに亘って基板取付面５６の裏側に設けられており、実装基板５２から基板取付面５６に伝えられた熱を放熱する。また、放熱フィン４２の各々は、第２反射面５７の裏側まで下端部４２Ａが延びた略矩形状を成し、紫外線照射によって第２反射面５７に与えられた熱も放熱する。
本実施形態では、ベース体５０は、アルミニウム等の高熱伝導性材料から成り、上述の基板取付面５６、第２反射面５７、及び多数の放熱フィン４２を有した一体成型物である。これにより、例えば放熱フィン４２を別部材で形成した場合に比べ、基板取付面５６、及び第２反射面５７と、放熱フィン４２との間の熱抵抗が抑えられるので、高い放熱性能が得られている。
【００３６】
本実施形態の照射ユニット３０では、それぞれの放熱フィン４２の上端部４２Ｃは、基板取付面５６から筐体２の天面２Ａの側に突出する。筐体２の内部の上記通風空間３９は、一対のベース体５０の各々の放熱フィン４２の上端部４２Ｃの間に形成されている。
【００３７】
第１反射体５４は、図４に示すように、一対の実装基板５２の間に設けられ、筐体２の長手方向Ａに延び、かつ所定照射位置Ｔの側に凸状の反射体であり、取付板６２に取り付けられている。
取付板６２は、一対のベース体５０の間の上記通風空間３９に配置され、筐体２の長手方向Ａに延びる矩形状の板材であり、前掲図２に示すように、取付部材３２の側板３４Ｂ、３４Ｃに支持されている。また、取付板６２は、第１反射体５４が取り付けられた面と反対側の面に、照射ユニット３０ごとに端子台６４が設けられており、各端子台６４には、給電ケーブル２０が電気的に接続される。なお、取付板６２を、取付部材３２ではなく、一対のベース体５０に保持させてもよい。
【００３８】
また第１反射体５４には、上述の通り、上記一対の第１反射面５５が互いに背中合わせに設けられている。第１反射面５５のそれぞれは、発光部６０の延在方向（上記長手方向Ａ）に沿って延びた反射面であり、対向位置の発光部６０が放射する紫外線を配光制御する。
【００３９】
図６は、照射ユニット３０の配光制御の説明図である。
同図に示すように、実装基板５２の発光部６０は、発光部光軸Ｐを中心とした所定の放射角θを有し、照射ユニット３０では、この放射角θの範囲内の略全ての紫外線が、発光部６０の対向位置にある第１反射面５５、及び第２反射面５７で配光制御される。
具体的には、放射角θのうちの第１範囲α１の紫外線が第１反射面５５に入射して配光制御され、残りの第２範囲α２の紫外線が第２反射面５７に入射して配光制御される。
係る配光制御を実現するために、第１範囲α１と第２範囲α２を分ける直線Ｍ２の上に、第１反射面５５の下端部５５Ａと、第２反射面５７の上端部５７Ａが位置し、放射角θの全ての紫外線が第１反射面５５、及び第２反射面５７のいずれかに入射するようになっている。
【００４０】
また、本実施形態では、一方の実装基板５２の対向位置にある第１反射面５５、及び第２反射面５７は物理的に連続しておらず、図６に示すように、第１反射面５５よりも所定照射位置Ｔの近くに位置する第２反射面５７が、第１反射面５５よりも、他方の実装基板５２の発光部６０の側に向かって距離Ｎだけ離間して配置されている。この距離Ｎの離間によって、第１反射面５５と第２反射面５７の間には空間Ｑがあけられる。
そして、この構成においては、それぞれの実装基板５２から放射された第２範囲α２の紫外線が、その実装基板５２と同じ側に配置されている第２反射面５７に遮蔽されることなく空間Ｑを通って、その実装基板５２の対向位置にある第２反射面５７に入射し、配光制御されることとなる。
【００４１】
本実施形態では、このように一対の第２反射面５７のそれぞれを、第１反射面５５に対し空間Ｑをあけて離間配置しているので、第１反射面５５、及び第２反射面５７を連続した一つの反射面とする構成に比べ、照射ユニット３０の幅が狭くなっている。
【００４２】
詳述すると、第１反射面５５、及び第２反射面５７が連続した一つの反射面である場合、第１反射体５４の各々の第１反射面５５を第２反射面５７の分だけ所定照射位置Ｔの側に延長することになり、その分、第１反射体５４の幅が大きくなる。これに対し、本実施形態の照射ユニット３０にあっては、第１反射体５４の幅が第２反射面５７の分だけ抑えられるので、照射ユニット３０の幅が狭められる。
また本実施形態では、図５に示すように、一対の第２反射面５７のそれぞれは、一対の実装基板５２の離間距離Ｌに合わせ、当該離間距離Ｌと概ね同じ距離で離間配置されているので、第１反射面５５から第２反射面５７を離間しても、照射ユニット３０の幅の増大が抑えられる。
さらに、一対の実装基板５２は、互いに平行に配置されているので、両者が傾斜して配置されているに比べ、照射ユニット３０の幅が狭められる。
【００４３】
本実施形態の照射ユニット３０は、第１反射面５５、及び第２反射面５７が、これらの対向位置にある発光部６０の紫外線を所定照射位置Ｔに集光する集光反射面に構成されている。
具体的には、第１反射面５５、及び第２反射面５７は、第１焦点ｆ１が発光部６０に設定され、第２焦点ｆ２が所定照射位置Ｔに設定された楕円反射面に形成されている。これにより、図６に示すように、第１反射面５５、及び第２反射面５７の各々に入射して反射した紫外線Ｉａ、Ｉｂは、いずれも第２焦点ｆ２である所定照射位置Ｔに集光される。
また、この所定照射位置Ｔには、一対の実装基板５２の各々の発光部６０の紫外線が重ねて照射されるので、発光部６０が１つの場合よりも、所定照射位置Ｔでの光量を倍増させることができる。
【００４４】
本実施形態によれば、次のような効果を奏する。
【００４５】
本実施形態の照射ユニット３０は、第２反射面５７のそれぞれが、第１反射面５５よりも所定照射位置Ｔの側に位置し、なおかつ、対向位置の発光部６０から他方の発光部６０の側に第１反射面５５に離間し、当該第１反射面５５との間に空間Ｑをあけて配置されている。そして、発光部６０の各々から対向位置の第２反射面５７に入射する紫外線Ｉｂは、空間Ｑを通って第２反射面５７に入射する。
これにより、互いに連続した第１反射面５５、及び第２反射面５７を、発光部６０の各々の対向位置に配置して配光制御する構成に比べ、照射ユニット３０の幅（実装基板５２の離間方向の距離）が狭められ、紫外線照射装置１のコンパクト化が可能になる。
また、一対の発光部６０の各々の紫外線が所定照射位置Ｔに照射されるので、発光部６０が１つの構成に比べ、所定照射位置Ｔでのピーク照度が高められる。
【００４６】
本実施形態の照射ユニット３０は、一対の第２反射面５７が、一対の実装基板５２の離間距離Ｌに合わせて離間配置されている。これにより、第１反射面５５から第２反射面５７を離間する構成においても、照射ユニット３０の幅の増大が抑えられる。
【００４７】
本実施形態の照射ユニット３０は、一対の実装基板５２が、互いに平行に配置されているので、実装基板５２が互いに非平行に配置された構成に比べ、照射ユニット３０の幅を抑えることができる。
【００４８】
本実施形態の照射ユニット３０は、発光部６０の放射角θの範囲の光は全て、第１反射面５５、及び第２反射面５７のいずれかに入射し、配光制御されるので、第１反射面５５、及び第２反射面５７が離間していても、光の利用効率が低下することがない。
【００４９】
本実施形態の照射ユニット３０は、発光部６０には、複数の紫外線ＬＥＤが列状に配列され、所定照射位置Ｔに向けて線状に光を照射する。これにより、幅を有した印刷面Ｗに、当該幅方向に延びる線状の紫外線を照射して、インキを光硬化処理するために用いて好適な照射ユニット３０が得られる。
【００５０】
本実施形態の照射ユニット３０は、第１反射面５５、及び第２反射面５７がいずれも、対向位置の発光部６０の紫外線を所定照射位置Ｔに集光する楕円反射面ので、所定照射位置Ｔで高いピーク照度が得られる。
【００５１】
本実施形態の紫外線照射装置１は、照射ユニット３０のそれぞれに冷却風を吹き付けて空冷するので、各照射ユニット３０の発光部６０が備える紫外線ＬＥＤの出力を高めることができる。
【００５２】
本実施形態の紫外線照射装置１は、照射ユニット３０のそれぞれに亘って延在し、外気が導入さる中空管状の支柱３６を備え、この支柱３６には、外気を吹き付ける吹出孔４０が照射ユニット３０ごとに設けられている。
これにより、照射ユニット３０のそれぞれを個別に冷却風で冷却できる。
【００５３】
本実施形態の紫外線照射装置１は、照射ユニット３０のそれぞれは、実装基板５２が取り付けられるベース体５０を備え、ベース体５０は、冷却風が吹き付けられる放熱フィン４２を備えた一体成型物である。これにより、放熱フィン４２がベース体５０とは別体に設けられた構成に比べ、実装基板５２と放熱フィン４２との間の熱抵抗が抑えられ、放熱性が高められる。
【００５４】
本実施形態の紫外線照射装置１は、放熱フィン４２のそれぞれが、冷却風の吹出方向Ｂに平行に設けられているので、それぞれの吹出孔４０から吹き出した冷却風同士の混合が抑えられ、照射ユニット３０ごとの冷却風の熱的な独立性が高められる。
【００５５】
なお、上述した実施形態は、あくまでも本発明の一態様の例示であり、本発明の主旨を逸脱しない範囲において任意に変形、及び応用が可能である。
【００５６】
（変形例１）
上述した実施形態では、照射ユニット３０の第１反射面５５、及び第２反射面５７がいずれも、対向位置の発光部６０の光を所定照射位置Ｔに集光する楕円反射面である場合を例示した。しかしながら、これに限らず、第２反射面５７は、平面や、第１反射面５５とは異なる曲面であってもよい。また、第１反射面５５の集光位置が所定照射位置Ｔと異なってもよい。
【００５７】
図７は、本変形例に係る照射ユニット１３０の構成を示す図である。なお、同図において、実施形態で説明した部材については同一の符号を付し、その説明を省略する。
照射ユニット１３０は、ユニット光軸Ｋを中心とした所定幅Ｒの紫外線を、線状に出射する。
具体的には、第１反射面１５５は、発光部６０を第１焦点ｆ１とし、照射ユニット１３０の内部に第２焦点ｆ２を有する楕円反射面に形成されており、発光部６０の紫外線Ｉａを所定照射位置Ｔに向かって、幅方向（一対の実装基板５２の離間方向）に拡げて出射する。第２反射面１５７は平面反射面であり、当該第２反射面１５７もまた発光部６０の紫外線Ｉｂを所定照射位置Ｔに向かって、幅方向に拡げて出射する。
これら第１反射面１５５、及び第２反射面１５７の反射による配光制御により、所定照射位置Ｔには、幅方向に所定幅Ｒに拡がった紫外線が線状に照射される。
【００５８】
本変形例においても、発光部６０の放射範囲を分ける上述の直線Ｍ２の上に、第１反射面１５５の下端部１５５Ａと、第２反射面１５７の上端部１５７Ａが位置し、放射角θの全ての紫外線が第１反射面１５５、及び第２反射面１５７のいずれかに入射するようになっている。
【００５９】
なお、本変形例において、第２反射面１５７が放物面などの曲面であってもよい。
【００６０】
（変形例２）
図８は、本変形例に係る照射ユニット２３０の構成を示す図である。
図８に示すように、照射ユニット２３０の放熱フィン２４２が、この長手方向Ａに延び、それぞれの放熱フィン２４２が筐体２の長手方向Ａに流れる冷却風に曝される構成であってもよい。
本変形例の照射ユニット２３０では、放熱フィン２４２が一体形成された放熱フィンユニット２４３が、ベース体２５０と別体に形成されている。
【００６１】
（変形例３）
図９は、本変形例に係る照射ユニット３３０の構成を示す図である。
図９に示すように、照射ユニット３３０が、放熱フィンに代えて、冷却水等の冷媒が流通する複数の冷却管３７０を冷却手段として備え、当該冷媒によって冷却されてもよい。照射ユニット３３０では、ベース体３５０は、実装基板５２の裏側に、分離可能なパーツ３５１を備え、当該パーツ３５１とベース体３５０とで冷却管３７０が挟持され、当該ベース体３５０の内部に収められる。これにより、冷却管３７０の冷媒が実装基板５２の近くを流れるので、実装基板５２の発光部６０の熱が効率良く冷媒に回収される。
【００６２】
上述した実施形態において、発光部６０は、紫外線ＬＥＤに限らず、任意の発光素子で構成できる。
また、紫外線照射装置１は、印刷装置の他にも、例えばフィルム製造装置などの任意の装置に組み込んで使用できる。
【符号の説明】
【００６３】
１  紫外線照射装置（照射装置）
２  筐体
６  吸気ファン
８  排気ファン
３０、１３０、２３０、３３０  照射ユニット
３２  取付部材
３６  支柱（管体）
３９  通風空間
４０  吹出孔
４２、２４２  放熱フィン
５０、２５０、３５０  ベース体
５２  実装基板
５４  第１反射体
５５、１５５  第１反射面
５６  基板取付面
５７、１５７  第２反射面
６０  発光部
２４３  放熱フィンユニット
３７０  冷却管
Ａ  長手方向
Ｂ  吹出方向
Ｋ  ユニット光軸
Ｌ  離間距離
Ｐ  発光部光軸
Ｑ  空間
Ｔ  所定照射位置
ｆ１  第１焦点
ｆ２  第２焦点
θ  放射角
【図１】
2018166082.tif 000003
【図２】
2018166082.tif 000004
【図３】
2018166082.tif 000005
【図４】
2018166082.tif 000006
【図５】
2018166082.tif 000007
【図６】
2018166082.tif 000008
【図７】
2018166082.tif 000009
【図８】
2018166082.tif 000010
【図９】
2018166082.tif 000011